(57)【特許請求の範囲】
【請求項１】
文字、記号等からなる目盛を表示する表示部を有する文字盤と、
上記表示部の中心に配置された車両用表示装置とを備え、
前記車両用表示装置は、透過型液晶表示パネルと、上記透過型液晶表示パネルの裏側に配置され、上記透過型液晶表示パネルを照明する透過性バックライトユニットと、上記透過性バックライトユニットの裏側に配置されたウォーニング表示部と、上記ウォーニング表示部の裏側に配置されたウォーニング用光源とを備えている
ことを特徴とする車両用表示装置を備えたメータ。
【請求項２】
前記透過型液晶表示パネルの使用時には、前記透過性バックライトユニットを点灯させると同時に前記ウォーニング用光源を消灯させ、前記ウォーニング表示部の使用時には、前記透過性バックライトユニットを消灯させると同時に前記ウォーニング用光源を点灯させる制御手段を備えたことを特徴とする請求項１記載の車両用表示装置を備えたメータ。
【請求項３】
上記バックライトユニットは、導光板と、上記導光板のエッジを照明する光源と、上記光源の周囲に配置されたリフレクタとからなることを特徴とする請求項１または２記載の車両用表示装置を備えたメータ。
【請求項４】
前記表示部はすり鉢状に形成されていることを特徴とする請求項１から３のいずれか１項に記載の車両用表示装置を備えたメータ。
【請求項５】
文字、記号等からなる目盛を表示する表示部を有する文字盤と、
上記表示部の前面に配置された指針と、
上記表示部の中心に配置されたウォーニング表示部と、
上記ウォーニング表示部の裏側に配置されたウォーニング用光源と、
上記ウォーニング表示部および上記指針の前面に配置された透過性バックライトユニットと、
上記透過性バックライトユニットの前面に配置され、上記透過性バックライトユニットで照明される透過型液晶表示パネルと、
を備えたことを特徴とする車両用表示装置を備えたメータ。
【請求項６】
前記透過型液晶表示パネルの使用時には、前記透過性バックライトユニットを点灯させると同時に前記ウォーニング用光源を消灯させ、前記ウォーニング表示部の使用時には、前記透過性バックライトユニットを消灯させると同時に前記ウォーニング用光源を点灯させる制御手段を備えたことを特徴とする請求項５記載の車両用表示装置を備えたメータ。
【請求項７】
前記透過型液晶表示パネルの前面に配置され、前記ウォーニング表示部の表示と、前記透過型液晶表示パネルの表示を視認するための表示窓を形成したカバーを含む
ことを特徴とする請求項５または６記載の車両用表示装置を備えたメータ。
【請求項８】
文字、記号等からなる目盛を表示する表示部を有する文字盤と、
上記表示部の前面に配置された指針と、
上記表示部の中心の前面かつ上記指針の前面に配置されたウォーニング表示ユニットと、
上記ウォーニング表示ユニットの前面に配置された液晶表示ユニットと、
を備えたことを特徴とする車両用表示装置を備えたメータ。
【請求項９】
前記ウォーニング表示ユニットは、
ウォーニング用光源を取り付けた光源基板と、
上記光源基板の前面に配置され、上記ウォーニング用光源を挿入可能な開口部が形成され上記ウォーニング用光源からの光を反射する反射部材と、
上記反射部材の前面に配置され、上記反射部材からの反射光を受けるウォーニング意匠が施されているウォーニングパターンと、
上記光源基板、上記反射部材および上記ウォーニングパターンを固定するケースと、
からなることを特徴とする請求項８記載の車両用表示装置を備えたメータ。
【請求項１０】
前記ウォーニング用光源はＬＥＤであり、
上記ＬＥＤは、前記光源基板の取付平面に対して平行な同一方向に光を発する向きに取り付けられており、
前記反射部材は、前記開口部に上記ＬＥＤが挿入されたときの上記ＬＥＤの先端側に、裏面から表面に向かう斜面をなしマット処理が施された反射面が形成されている
ことを特徴とする請求項９記載の車両用表示装置を備えたメータ。
【請求項１１】
前記反射部材は、その全体、または少なくとも前記反射部材の前記開口部の内壁および前記反射面に、白色塗料が塗布されている
ことを特徴とする請求項１０記載の車両用表示装置を備えたメータ。
【請求項１２】
前記液晶表示ユニットは、
透過性バックライトユニットと、
上記透過性バックライトユニットの前面に配置され、上記透過性バックライトユニットで照明される透過型液晶表示パネルと、
上記透過性バックライトユニットおよび上記透過型液晶表示パネルを固定し、上記透過型液晶表示パネルの表示を視認できる表示窓が形成されたカバーと、
からなることを特徴とする請求項９から１１のいずれか１項に記載の車両用表示装置を備えたメータ。
【請求項１３】
前記透過型液晶表示パネルの使用時には、前記透過性バックライトユニットを点灯させると同時に前記ウォーニング用光源を消灯させ、前記ウォーニング表示部の使用時には、前記透過性バックライトユニットを消灯させると同時に前記ウォーニング用光源を点灯させる制御手段を備えたことを特徴とする請求項１２記載の車両用表示装置を備えたメータ。
【請求項１４】
前記表示部はすり鉢状に形成され、
前記指針の先端部分は、前記すり鉢状表示部の斜面に合わせて折れ曲がった形状を有する
ことを特徴とする請求項５から１３のいずれか１項に記載の車両用表示装置を備えたメータ。
【発明の詳細な説明】
【０００１】
【発明の属する技術分野】
本発明は、車両用表示装置を備えたメータに関する。
【０００２】
【従来の技術】
従来、図１２に示すように、自動車の車両用状態表示装置として、自動車の走行スピードを表示するスピードメータ３１やエンジンの回転数を表示するタコメータ３２や燃料の残量を表示するフューエルメータ３３等のメータと、温度計３４と、ウインカの方向指示部３５と、変速機のシフト位置表示３６と、車両の故障時に警告灯を点灯するウォーニング表示部３７とが、それぞれ別々の場所に配置され、車両における多くの状態が一括表示される構成のものがある。
【０００３】
【発明が解決しようとする課題】
しかしながら、上述の車両用状態表示装置では、各種の状態表示の中から確認したい状態表示の場所を探さなければならず、面倒であった。また、それぞれの状態表示が別々の場所に配置されているためスペースを取るという問題があった。
【０００４】
そこで本発明は、上述した従来の問題点に鑑み、複数の状態表示を容易に確認でき、スペースを取らない車両用表示装置を備えたメータを提供することを目的としている。
【０００５】
【課題を解決するための手段】
上記課題を解決するためになされた請求項１記載の発明は、文字、記号等からなる目盛を表示する表示部を有する文字盤と、上記表示部の中心に配置された車両用表示装置とを備え、前記車両用表示装置は、透過型液晶表示パネルと、上記透過型液晶表示パネルの裏側に配置され、上記透過型液晶表示パネルを照明する透過性バックライトユニットと、上記透過性バックライトユニットの裏側に配置されたウォーニング表示部と、上記ウォーニング表示部の裏側に配置されたウォーニング用光源とを備えていることを特徴とする車両用表示装置を備えたメータに存する。
【０００６】
請求項１記載の発明においては、車両用表示装置を備えたメータは、文字、記号等からなる目盛を表示する表示部を有する文字盤と、表示部の中心に配置された車両用表示装置とを備え、車両用表示装置は、透過型液晶表示パネルと、透過型液晶表示パネルの裏側に配置され、透過型液晶表示パネルを照明する透過性バックライトユニットと、透過性バックライトユニットの裏側に配置されたウォーニング表示部と、ウォーニング表示部の裏側に配置されたウォーニング用光源とを備えている。それにより、表示スペースが削減される。また、表示スペースが削減され、また、ユーザーは、同一場所にメータ表示と異なる状態表示とが行われるので、表示を容易に確認することができる。
【０００７】
上記課題を解決するためになされた請求項２記載の発明は、前記透過型液晶表示パネルの使用時には、前記透過性バックライトユニットを点灯させると同時に前記ウォーニング用光源を消灯させ、前記ウォーニング表示部の使用時には、前記透過性バックライトユニットを消灯させると同時に前記ウォーニング用光源を点灯させる制御手段を備えたことを特徴とする請求項１記載の車両用表示装置を備えたメータに存する。
【０００８】
請求項２記載の発明においては、透過型液晶表示パネルの使用時には、透過性バックライトユニットを点灯させると同時にウォーニング用光源を消灯させ、ウォーニング表示部の使用時には、透過性バックライトユニットを消灯させると同時にウォーニング用光源を点灯させる制御手段を備えている。それにより、表示スペースが削減され、また、ユーザーは、同一場所に異なる状態表示が行われるので、表示を容易に確認することができる。
【０００９】
上記課題を解決するためになされた請求項３記載の発明は、上記バックライトユニットは、導光板と、上記導光板のエッジを照明する光源と、光源の周囲に配置されたリフレクタとからなることを特徴とする請求項１または２記載の車両用表示装置を備えたメータに存する。
【００１０】
請求項３記載の発明においては、バックライトユニットは、導光板と、導光板のエッジを照明する光源と、光源の周囲に配置されたリフレクタとからなる。それにより、透過型液晶表示パネルへの平面光によるバックライティングを行うことができる。
【００１１】
上記課題を解決するためになされた請求項４記載の発明は、前記表示部はすり鉢状に形成されていることを特徴とする請求項１から３のいずれか１項に記載の車両用表示装置を備えたメータに存する。
【００１２】
請求項４記載の発明においては、表示部はすり鉢状に形成されている。それにより、斬新なメータ表示が得られる。
【００１３】
上記課題を解決するためになされた請求項５記載の発明は、文字、記号等からなる目盛を表示する表示部を有する文字盤と、上記表示部の前面に配置された指針と、上記表示部の中心に配置されたウォーニング表示部と、上記ウォーニング表示部の裏側に配置されたウォーニング用光源と、上記ウォーニング表示部および上記指針の前面に配置された透過性バックライトユニットと、上記透過性バックライトユニットの前面に配置され、上記透過性バックライトユニットで照明される透過型液晶表示パネルと、を備えたことを特徴とする車両用表示装置を備えたメータに存する。
【００１４】
請求項５記載の発明においては、車両用表示装置を備えたメータは、文字、記号等からなる目盛を表示する表示部を有する文字盤と、表示部の前面に配置された指針と、表示部の中心に配置されたウォーニング表示部と、ウォーニング表示部の裏側に配置されたウォーニング用光源と、ウォーニング表示部および指針の前面に配置された透過性バックライトユニットと、透過性バックライトユニットの前面に配置され、透過性バックライトユニットで照明される透過型液晶表示パネルとを備えている。それにより、表示スペースが削減される。
【００１５】
上記課題を解決するためになされた請求項６記載の発明は、前記透過型液晶表示パネルの使用時には、前記透過性バックライトユニットを点灯させると同時に前記ウォーニング用光源を消灯させ、前記ウォーニング表示部の使用時には、前記透過性バックライトユニットを消灯させると同時に前記ウォーニング用光源を点灯させる制御手段を備えたことを特徴とする請求項５記載の車両用表示装置を備えたメータに存する。
【００１６】
請求項６記載の発明においては、車両用表示装置を備えたメータは、透過型液晶表示パネルの使用時には、透過性バックライトユニットを点灯させると同時にウォーニング用光源を消灯させ、ウォーニング表示部の使用時には、透過性バックライトユニットを消灯させると同時にウォーニング用光源を点灯させる制御手段を備えている。それにより、表示スペースが削減され、また、ユーザーは、同一場所に異なる状態表示が行われるので、表示を容易に確認することができる。
【００１７】
上記課題を解決するためになされた請求項７記載の発明は、前記透過型液晶表示パネルの前面に配置され、前記ウォーニング表示部の表示と、前記透過型液晶表示パネルの表示を視認するための表示窓を形成したカバーを含むことを特徴とする請求項５または６記載の車両用表示装置を備えたメータに存する。
【００１８】
請求項７記載の発明においては、車両用表示装置を備えたメータは、透過型液晶表示パネルの前面に配置され、ウォーニング表示部の表示と、透過型液晶表示パネルの表示を視認するための表示窓を形成したカバーを含む。それにより、ウォーニング表示部と透過が他液晶表示パネルを保護することができる。
【００１９】
上記課題を解決するためになされた請求項８記載の発明は、文字、記号等からなる目盛を表示する表示部を有する文字盤と、上記表示部の前面に配置された指針と、上記表示部の中心の前面かつ上記指針の前面に配置されたウォーニング表示ユニットと、上記ウォーニング表示ユニットの前面に配置された液晶表示ユニットと、を備えたことを特徴とする車両用表示装置を備えたメータに存する。
【００２０】
請求項８記載の発明においては、車両用表示装置を備えたメータは、文字、記号等からなる目盛を表示する表示部を有する文字盤と、表示部の前面に配置された指針と、表示部の中心の前面かつ指針の前面に配置されたウォーニング表示ユニットと、ウォーニング表示ユニットの前面に配置された液晶表示ユニットとを備えている。それにより、表示スペースが削減される。
【００２１】
上記課題を解決するためになされた請求項９記載の発明は、前記ウォーニング表示ユニットは、ウォーニング用光源を取り付けた光源基板と、上記光源基板の前面に配置され、上記ウォーニング用光源を挿入可能な開口部が形成され上記ウォーニング用光源からの光を反射する反射部材と、上記反射部材の前面に配置され、上記反射部材からの反射光を受けるウォーニング意匠が施されているウォーニングパターンと、上記光源基板、上記反射部材および上記ウォーニングパターンを固定するケースと、からなることを特徴とする請求項８記載の車両用表示装置を備えたメータに存する。
【００２２】
請求項９記載の発明においては、ウォーニング表示ユニットは、ウォーニング用光源を取り付けた光源基板と、光源基板の前面に配置され、ウォーニング用光源を挿入可能な開口部が形成されウォーニング用光源からの光を反射する反射部材と、反射部材の前面に配置され、反射部材からの反射光を受けるウォーニング意匠が施されているウォーニングパターンと、光源基板、反射部材およびウォーニングパターンを固定するケースとからなる。それにより、ウォーニング表示に要する構成要素が一体となって独立した構成のため組み付けが簡単であり、また、ウォーニング表示ユニットは指針の前面に配置されるので、ウォーニング意匠を、指針の回転軸付近のエリアを含む表示エリア全体に視認できるように配置することができる。
【００２３】
上記課題を解決するためになされた請求項１０記載の発明は、前記ウォーニング用光源はＬＥＤであり、上記ＬＥＤは、前記光源基板の取付平面に対して平行な同一方向に光を発する向きに取り付けられており、前記反射部材は、前記開口部に上記ＬＥＤが挿入されたときの上記ＬＥＤの先端側に、裏面から表面に向かう斜面をなしマット処理が施された反射面が形成されていることを特徴とする請求項９記載の車両用表示装置を備えたメータに存する。
【００２４】
請求項１０記載の発明においては、ウォーニング用光源はＬＥＤであり、ＬＥＤは、光源基板の取付平面に対して平行な同一方向に光を発する向きに取り付けられており、反射部材は、開口部にＬＥＤが挿入されたときのＬＥＤの先端側に、裏面から表面に向かう斜面をなしマット処理が施された反射面が形成されている。それにより、ウォーニング表示ユニットを薄型化でき、厚みが抑えられたメータを実現することができる。さらに、ウォーニング表示ユニットの薄型化により、液晶表示ユニットと文字盤のすり鉢状表示部との距離が広がることが抑えられ、距離差からの視認性減少がなくなる。
【００２５】
上記課題を解決するためになされた請求項１１記載の発明は、前記反射部材は、その全体、または少なくとも前記反射部材の前記開口部の内壁および前記反射面に、白色塗料が塗布されていることを特徴とする請求項１０記載の車両用表示装置を備えたメータに存する。
【００２６】
請求項１１記載の発明においては、反射部材は、その全体、または少なくとも反射部材の前記開口部の内壁および反射面に、白色塗料が塗布されている。それにより、ウォーニング用光源からの光を面発光に変えてウォーニング意匠を照明することができる。
【００２７】
上記課題を解決するためになされた請求項１２記載の発明は、前記液晶表示ユニットは、透過性バックライトユニットと、上記透過性バックライトユニットの前面に配置され、上記透過性バックライトユニットで照明される透過型液晶表示パネルと、上記透過性バックライトユニットおよび上記透過型液晶表示パネルを固定し、上記透過型液晶表示パネルの表示を視認できる表示窓が形成されたカバーと、からなることを特徴とする請求項９から１１のいずれか１項に記載の車両用表示装置を備えたメータに存する。
【００２８】
請求項１２記載の発明においては、液晶表示ユニットは、透過性バックライトユニットと、透過性バックライトユニットの前面に配置され、透過性バックライトユニットで照明される透過型液晶表示パネルと、透過性バックライトユニットおよび上記透過型液晶表示パネルを固定し、上記透過型液晶表示パネルの表示を視認できる表示窓が形成されたカバーとからなる。それにより、液晶表示に要する構成要素が一体となって独立した構成のため、組み付けが簡単である。
【００２９】
上記課題を解決するためになされた請求項１３記載の発明は、前記透過型液晶表示パネルの使用時には、前記透過性バックライトユニットを点灯させると同時に前記ウォーニング用光源を消灯させ、前記ウォーニング表示部の使用時には、前記透過性バックライトユニットを消灯させると同時に前記ウォーニング用光源を点灯させる制御手段を備えたことを特徴とする請求項１２記載の車両用表示装置を備えたメータに存する。
【００３０】
請求項１３記載の発明においては、車両用表示装置を備えたメータは、透過型液晶表示パネルの使用時には、透過性バックライトユニットを点灯させると同時にウォーニング用光源を消灯させ、ウォーニング表示部の使用時には、透過性バックライトユニットを消灯させると同時にウォーニング用光源を点灯させる制御手段を備えている。それにより、表示スペースが削減され、また、ユーザーは、同一場所に異なる状態表示が行われるので、表示を容易に確認することができる。
【００３１】
上記課題を解決するためになされた請求項１４記載の発明は、前記表示部はすり鉢状に形成され、前記指針の先端部分は、前記すり鉢状表示部の斜面に合わせて折れ曲がった形状を有することを特徴とする請求項５から１３のいずれか１項に記載の車両用表示装置を備えたメータに存する。
【００３２】
請求項１４記載の発明においては、表示部はすり鉢状に形成され、指針の先端部分は、すり鉢状表示部の斜面に合わせて折れ曲がった形状を有する。それにより、斬新なメータ表示が得られる。
【００３３】
【発明の実施の形態】
以下、本発明の実施の形態を図面に基づいて説明する。図１は、本発明に係る車両用表示装置を備えたメータに備えられる車両用表示装置を示す側断面図、図２は、図１における一部を拡大した略図である。
【００３４】
図１において、車両用表示装置１は、透過型液晶表示パネル２と、透過型液晶表示パネル２の裏側に透明接着剤等の固定手段で固定して配置され、透過型液晶表示パネル２を照明する透過性バックライトユニット３と、透過性バックライトユニット３の裏側に所定の間隔を置いて配置されたウォーニング表示部７と、ウォーニング表示部７の裏側に配置されたウォーニング用光源１１とを備えている。
【００３５】
バックライトユニット３は、導光板４と、導光板４のエッジを照明する１個または複数個のＬＣＤ（液晶）等からなる光源５と、光源５の周囲に配置されたリフレクタ６とを有する。図２に示すように、導光板４の一方の面（透過型液晶表示パネル２に対向する面）４ａは平面に形成され、他方の面４ｂは、アレイ状プリズムが形成されている。
【００３６】
ウォーニング表示部７は、ウォーニング意匠９が施された遮光板８と、ウォーニング意匠を囲む表示ケース１０とからなる。遮光板８は、たとえばポリカーボネート等の透光性基板に遮光層を塗布して形成され、ウォーニング意匠９は、遮光層を排除した透光性基板の外面に印刷されて形成される。ウォーニング用光源１１は、表示ケース１０内にウォーニング意匠９に対向させて配置されている。
【００３７】
上述の構成において、透過型液晶表示パネル２とウォーニング表示部７は、制御装置（図示しない）の制御によって光源５とウォーニング用光源１１を切り替え点灯させることにより、切り替え表示される。
【００３８】
まず、制御装置によりウォーニング用光源１１を消灯させかつ光源５を点灯させると、光源５から放射された光は、直接またはリフレクタ６によって反射されて、導光板４に入射する。導光板４に入射された光は、その大部分がアレイ状プリズムの面４ｂで全反射して面４ａ方向に進み、平面光となって透過型液晶表示パネル２に入射する。
【００３９】
したがって、バックライトユニット３からのバックライティングにより透過型液晶表示パネル２の表示が、図１における透過型液晶表示パネル２の右側より視認される。
【００４０】
次に、制御装置の制御により、ウォーニング用光源１１を点灯させかつ光源５を消灯させるように切り換える。この場合には、光源５の消灯により、バックライトユニット３と透過型液晶表示パネル２は機能せず、両方とも単なる透明部材となって、ウォーニング表示部７の前面に存在するだけである。
【００４１】
したがって、ウォーニング用光源１１からの光は、遮光板８のウォーニング意匠９の部分、バックライトユニット３および透過型液晶表示パネル２を透過し、ウォーニング意匠９がシルエットとして視認される。
【００４２】
このように、透過型液晶表示パネル２による表示とウォーニング表示部７の表示の複数の状態表示が、同じ場所に切り替えて表示されるため、表示スペースが削減され、また、ユーザーは、同一場所に異なる状態表示が行われるので、表示を容易に確認することができる。
【００４３】
次に、図３および図４は、それぞれ、本発明に係る車両用表示装置を備えたメータの第１の実施の形態を示す分解斜視図および側面図である。本発明の第１の実施の形態に係るメータ２０は、文字盤２１と、文字盤２１の前面に配置された指針２４と、文字盤２１に取り付けられた車両用表示装置１と、カバー１２とからなる。
【００４４】
文字盤２１は、たとえば車両のタコメータであり、文字、記号等からなる目盛を表示するすり鉢状表示部２２と、すり鉢状表示部２２の下部に一体形成された基部２３とを有する。
【００４５】
車両用表示装置１は、図１に示すものと同様に、透過型液晶表示パネル２と、透過型液晶表示パネル２の裏側に配置され、透過型液晶表示パネル２を照明する透過性バックライトユニット３と、透過性バックライトユニット３の裏側に配置されたウォーニング表示部７と、ウォーニング表示部７の裏側に配置された表示ケース１０内のウォーニング用光源１１（図３では、見えない場所にあるので図示されていない）とを備えている。
【００４６】
カバー１２は、その上部裏側に形成された凹部１２ａと、下部裏側に形成された横溝１２ｂと、上部に表側から裏側に貫通して形成された表示窓１２ｃとを有する。
【００４７】
ウォーニング表示部７のウォーニング意匠９が施された遮光板８は、文字盤２１のすり鉢状表示部２２の中心に開けられた開口部に配置、固定されている。透過型液晶表示パネル２は、カバー１２の上部裏側に形成された凹部１２ａにはめ込まれ、さらに、はめ込まれた透過型液晶表示パネル２の上にバックライトユニット３が配置され、リフレクタ６の一部が、カバー１２の下部裏側に形成された横溝１２ｂにはめ込まれ、一体となったカバー１２、透過型液晶表示パネル２およびバックライトユニット３が、文字盤２１の基部２３に固定手段（図示しないが、たとえば、ネジ止め等）で固定されている。
【００４８】
指針２４は、遮光板８の中心に形成された開口部から突出する、遮光板８の背面側に取り付けられたムーブメント２５の回転軸に取り付けられ、その先端部分２４ａは、すり鉢状表示部２２の斜面に合わせて折れ曲がった形状を有する。
【００４９】
上述の構成において、透過型液晶表示パネル２とウォーニング表示部７は、制御装置（図示しないが、たとえば車両のＥＣＵ（電子制御ユニット））の制御によって光源５とウォーニング用光源１１を切り替え点灯させることにより、切り替え表示される。
【００５０】
まず、制御装置により、ウォーニング用光源１１の消灯時、光源５を点灯させると、図５（Ａ）に示されるように、透過型液晶表示パネル２の表示２ａが、カバー１２の表示窓１２ｃ内に視認される。なお、透過型液晶表示パネル２に表示されるのは、たとえば、車両における種々の機器の動作状態に関する情報やナビゲーション情報などである。
【００５１】
次に、制御装置の制御により、ウォーニング用光源１１を点灯させかつ光源５を消灯させるように切り換えた場合には、図５（Ｂ）に示されるように、遮光板８に設けた４つのウォーニング意匠９ａ，９ｂ，９ｃ，９ｄが、バックライトユニット３および透過型液晶表示パネル２を透過して表示窓１２ｃ内に視認される。
【００５２】
なお、ウォーニング意匠９ａ，９ｂ，９ｃ，９ｄは、それぞれ、たとえば、エアバックシステム異常、サイドブレーキ動作中、半ドア、シートベルト着用警告等の４種類のウォーニングを行うための意匠であり、ウォーニング意匠１個に対してそれぞれ、その後部に表示ケース１０およびウォーニング用光源１１を備えている。
【００５３】
このように、透過型液晶表示パネル２による表示とウォーニング表示部７の表示の複数の状態表示が、同じ場所に切り替えて表示されるため、表示スペースが削減され、また、ユーザーは、同一場所にメータ表示と異なる状態表示とが行われるので、表示を容易に確認することができる。また、メータの表示部がすり鉢状になっているので、斬新なメータ表示が得られる。
【００５４】
次に、図６は、本発明に係る車両用表示装置を備えたメータの第２の実施の形態を示す分解斜視図である。なお、図３および図４に示したメータと同一の構成要素は、同一符号を付して説明する。
【００５５】
図６において、本発明の第２の実施の形態に係るメータ２０は、文字盤２１と、文字盤２１の前面に配置された指針２４と、文字盤２１に取り付けられた車両用表示装置１とからなる。
【００５６】
文字盤２１は、たとえば車両のタコメータであり、文字、記号等からなる目盛を表示するすり鉢状表示部２２と、すり鉢状表示部２２の下部に一体形成された基部２３とを有する。
【００５７】
指針２４は、図６には図示されていないが、後述の図１０に示されており、すり鉢状表示部２２の中心に開けられた開口部に取り付けられた導光板２６の中心に形成された開口部から突出する、導光板２６の背面側に取り付けられたムーブメント（図示しない）の回転軸に取り付けられ、その先端部分２４ａは、すり鉢状表示部２２の斜面に合わせて折れ曲がった形状を有する。
【００５８】
車両用表示装置１は、ウォーニング表示ユニット７０と、液晶表示ユニット８０を備えている。
【００５９】
ウォーニング表示ユニット７０は、図７に示すように、ケース７１に、光源基板７２、反射部材７３およびウォーニングパターン７４を順番にはめ込んで固定することにより組み立てられる。
【００６０】
光源基板７２には、ウォーニング用光源としての複数個（この例では５個）のＬＥＤ（発光ダイオード）７５が適宜な位置に取り付けられている。ＬＥＤ７５は、それぞれ、光源基板７２の取付平面に対して平行な同一方向に光を発する向き（図７では、上方向）に取り付けられている。
【００６１】
反射部材７３には、図８に示すように、光源基板７２への組み付け時に各ＬＥＤ７５を裏側から挿入可能な複数（この例では５個）の開口部７３ａが形成されると共に、ＬＥＤ７５が挿入されたときのＬＥＤ７５の先端側に、裏面から表面に向かう斜面をなしマット処理が施された反射面７３ｂが形成されている。反射部材７３は、その全体、または少なくとも開口部７３ａの内壁および反射面７３ｂに、白色塗料が塗布されている。
【００６２】
ウォーニングパターン７４には、それぞれ、反射部材７３の反射面７３ｂに対応する位置に５つのウォーニング意匠９ａ，９ｂ，９ｃ，９ｄ，９ｅが施されている。
【００６３】
組立後のウォーニング表示ユニット７０では、図９に示すように、各ウォーニング意匠ごとに配置されたＬＥＤ７５からの光をマット処理された斜面に白塗装が施された反射面７３ｂで反射させることにより、反射部材７３の反射面７３ｂは面発光し、ウォーニング意匠の光源となる。
【００６４】
液晶表示ユニット８０は、透過型液晶表示パネル２、透過性バックライトユニット３およびカバー１２を含む。
【００６５】
カバー１２は、その上部裏側に形成された凹部１２ａと、下部裏側に形成された横溝１２ｂと、上部に表側から裏側に貫通して形成された表示窓１２ｃとを有する。
【００６６】
透過型液晶表示パネル２は、カバー１２の上部裏側に形成された凹部１２ａにはめ込まれ、さらに、はめ込まれた透過型液晶表示パネル２の上にバックライトユニット３が配置され、リフレクタ６の一部が、カバー１２の下部裏側に形成された横溝１２ｂにはめ込まれることにより、透過型液晶表示パネル２、透過性バックライトユニット３およびカバー１２が一体となって液晶表示ユニット８０を構成している。
【００６７】
図１０に示されるように、上述のように組み立てられたウォーニング表示ユニット７０と、一体となった液晶表示ユニット８０が共に、文字盤２１の基部２３に固定手段（図示しないが、たとえば、ネジ止め等）で固定される。
【００６８】
上述の構成において、透過型液晶表示パネル２とウォーニング表示部７は、制御装置（図示しないが、たとえば車両のＥＣＵ（電子制御ユニット））の制御によって光源５とウォーニング用光源としてのＬＥＤ７５を切り替え点灯させることにより、切り替え表示される。
【００６９】
まず、制御装置により、全てのＬＥＤ７５の消灯時、光源５を点灯させると、図１１（Ａ）に示されるように、透過型液晶表示パネル２の表示２ａが、カバー１２の表示窓１２ｃ内に視認される。なお、透過型液晶表示パネル２に表示されるのは、たとえば、車両における種々の機器の動作状態に関する情報やナビゲーション情報などである。
【００７０】
次に、制御装置の制御により、ウォーニング発生時にＬＥＤ７５を点灯させかつ光源５を消灯させるように切り換えた場合には、図１１（Ｂ）に示されるように、ウォーニング表示ユニット７０のウォーニングパターン７４に設けた５つのウォーニング意匠９ａ，９ｂ，９ｃ，９ｄ，９ｅのうちの１つ乃至全てが、バックライトユニット３および透過型液晶表示パネル２を透過して表示窓１２ｃ内に視認される。
【００７１】
なお、ウォーニング意匠９ａ，９ｂ，９ｃ，９ｄ，９ｅは、それぞれ、たとえば、エアバックシステム異常、サイドブレーキ動作中、半ドア、シートベルト着用警告、バッテリ電圧低下異常等の５種類のウォーニングを行うための意匠である。
【００７２】
このように、透過型液晶表示パネル２による表示とウォーニング表示ユニット７０による複数のウォーニング表示が、同じ場所に切り替えて表示されるため、表示スペースが削減され、また、ユーザーは、同一場所にメータ表示と異なる状態表示とが行われるので、表示を容易に確認することができる。また、メータ２０の表示部２２がすり鉢状になっているので、斬新なメータ表示が得られる。
【００７３】
さらに、ウォーニング表示ユニット７０が独立した構成のため組み付けが簡単であり、また、ウォーニング表示ユニット７０は指針２４の前面に配置されるので、ウォーニング意匠を、指針２４の回転軸付近のエリアを含む表示エリアの全体に視認できるように配置することができる。また、図１乃至図５に示し上記に説明した第１の実施の形態のように指針２４の回動時に指針２４とウォーニング意匠の表示が重なることがないので、ウォーニングの視認性が向上する。
【００７４】
さらに、光源基板７２において、ＬＥＤ７５は、光源基板７２の取付平面に対して平行な同一方向に光を発する向きに取り付けられているので、ウォーニング表示ユニット７０が薄型化されており、図４に示す第１の実施の形態では表示ケース１０の厚みｄだけメータ２０の厚みが増しているのに対して、厚みが抑えられたメータ２０を実現することができる。
【００７５】
さらに、ウォーニング表示ユニット７０の薄型化により、液晶表示ユニット８０と文字盤２１のすり鉢状表示部２２との距離が広がることが抑えられ、距離差からの視認性減少がなくなる。
【００７６】
以上の通り、本発明の実施の形態について説明したが、本発明はこれに限らず、種々の変形、応用が可能である。
【００７７】
たとえば、上述の実施の形態では、本発明のメータとして、タコメータについて説明しているが、他のメータでも適用可能である。
【００７８】
【発明の効果】
請求項１記載の発明によれば、表示スペースが削減される。また、ユーザーは、同一場所にメータ表示と異なる状態表示とが行われるので、表示を容易に確認することができる。
【００７９】
請求項２記載の発明によれば、表示スペースが削減され、また、ユーザーは、同一場所に異なる状態表示が行われるので、表示を容易に確認することができる。
【００８０】
請求項３記載の発明によれば、透過型液晶表示パネルへの平面光によるバックライティングを行うことができる。
【００８１】
請求項４記載の発明によれば、斬新なメータ表示が得られる。
【００８２】
請求項５記載の発明によれば、表示スペースが削減される。
【００８３】
請求項６記載の発明によれば、表示スペースが削減され、また、ユーザーは、同一場所に異なる状態表示が行われるので、表示を容易に確認することができる。
【００８４】
請求項７記載の発明によれば、ウォーニング表示部と透過が他液晶表示パネルを保護することができる。
【００８５】
請求項８記載の発明によれば、表示スペースが削減される。
【００８６】
請求項９記載の発明によれば、ウォーニング表示に要する構成要素が一体となって独立した構成のため組み付けが簡単であり、また、ウォーニング表示ユニットは指針の前面に配置されるので、ウォーニング意匠を、指針の回転軸付近のエリアを含む表示エリア全体に視認できるように配置することができる。
【００８７】
請求項１０記載の発明によれば、ウォーニング表示ユニットを薄型化でき、厚みが抑えられたメータを実現することができる。さらに、ウォーニング表示ユニットの薄型化により、液晶表示ユニットと文字盤のすり鉢状表示部との距離が広がることが抑えられ、距離差からの視認性減少がなくなる。
【００８８】
請求項１１記載の発明によれば、ウォーニング用光源からの光を面発光に変えてウォーニング意匠を照明することができる。
【００８９】
請求項１２記載の発明によれば、液晶表示に要する構成要素が一体となって独立した構成のため、組み付けが簡単である。
【００９０】
請求項１３記載の発明によれば、表示スペースが削減され、また、ユーザーは、同一場所に異なる状態表示が行われるので、表示を容易に確認することができる。
【００９１】
請求項１４記載の発明によれば、斬新なメータ表示が得られる。
【図面の簡単な説明】
【図１】  本発明に係る車両用表示装置の実施の形態を示す側断面図である。
【図２】  図１における一部を拡大した略図である。
【図３】  本発明に係る車両用表示装置を備えたメータに備えられる車両用表示装置を示す分解斜視図である。
【図４】  図３のメータの側面図である。
【図５】  （Ａ）および（Ｂ）は、図３のメータにおける車両用表示装置の表示例を示す図である。
【図６】  本発明に係る車両用表示装置を備えたメータの第２の実施の形態を示す分解斜視図である。
【図７】  図６のメータにおけるウォーニング表示ユニットの分解斜視図である。
【図８】  図７のウォーニング表示ユニットの組立途中を示す斜視図である。
【図９】  図６のメータにおけるウォーニング表示ユニットの断面図である。
【図１０】  図６のメータの組立途中を示す分解斜視図である。
【図１１】  （Ａ）および（Ｂ）は、図６のメータにおける車両用表示装置の表示例を示す図である。
【図１２】  従来の車両用状態表示装置の一例を示す図である。
【符号の説明】
１    車両用表示装置
２    透過型液晶表示パネル
３    透過性バックライトユニット
４    導光板
５    光源
６    リフレクタ
７    ウォーニング表示部
８    遮光板
９，９ａ，９ｂ，９ｃ，９ｄ，９ｅ  ウォーニング意匠
１０  表示ケース
１１  ウォーニング用光源
１２  カバー
２０  メータ
２１  文字盤
２２  すり鉢状表示部
２３  基部
２４  指針
２４ａ  先端部分
２５  ムーブメント
７０  ウォーニング表示ユニット
７１  ケース
７２  光源基板
７３  反射部材
７３ａ  開口部
７３ｂ  反射面
７４    ウォーニングパターン
７５    ＬＥＤ（ウォーニング用光源）
８０    液晶表示ユニット
【図１】
0003798989.tif 000002
【図２】
0003798989.tif 000003
【図３】
0003798989.tif 000004
【図４】
0003798989.tif 000005
【図５】
0003798989.tif 000006
【図６】
0003798989.tif 000007
【図７】
0003798989.tif 000008
【図８】
0003798989.tif 000009
【図９】
0003798989.tif 000010
【図１０】
0003798989.tif 000011
【図１１】
0003798989.tif 000012
【図１２】
0003798989.tif 000013